(57)【特許請求の範囲】
【請求項１】
伝送情報を伝送単位に分割し、物理伝送網上に、その伝送単位を論理的に多重化して伝送する論理的多重化伝送路網を形成する通信網において、呼接続制御の一部として設けた網運用管理コントローラが、
呼接続毎に起動されて前記論理的多重化伝送路網における呼接続を確立する呼接続コントローラが呼接続制御時に使用する呼接続用情報と呼接続での生起情報とを取得する情報取得手段と、
前記取得した呼接続用情報と呼接続での生起情報との履歴をとり、その履歴とトラヒック評価基準情報とに基づき接続ルートの増設が必要なトラヒックの高い接続ルートを検出するトラヒック観測評価手段と、
前記物理伝送網の構成情報を参照して前記検出した高トラヒック接続ルートを構成し得る低トラヒックで接続数の少ない現用の接続ルートの組み合わせを決定する増設ルート決定手段と、
前記決定した現用接続ルートを閉塞した後の空き状態を待って各接続ルートの端点ノードのスイッチと通信して所期の新接続ルートを確立し、前記呼接続コントローラが利用する前記呼接続用情報を更新した後、前記新接続ルートの閉塞を解除する接続ルート増設手段と
を備えることを特徴とする論理的多重化伝送路網の自動設定方式。
【請求項２】
請求項１に記載の論理的多重化伝送路網の自動設定方式において、
前記接続ルート増設手段は、前記決定した現用の接続ルートに、当該接続ルートの組合せで予備の接続ルートがある場合は、前記閉塞と空き状態待ちを実行せずにその予備の接続ルートの選択を優先する
ことを特徴とする論理的多重化伝送路網の自動設定方式。
【請求項３】
請求項１に記載の論理的多重化伝送路網の自動設定方式において、
前記増設ルート決定手段は、現用の接続ルートをそのまま利用できない場合には、目的のルート上に部分的に一致する低トラヒックの接続ルートを選択し、前記接続ルートを閉塞した後の空き状態を待って適切なスイッチと通信し、利用する部分接続ルートとその他の部分接続ルートとに分離し、前者の利用する部分接続ルートと他の現用接続ルートとの組み合わせを決定し、後者のその他の部分接続ルートは個々の新接続ルートと決定する
ことを特徴とする論理的多重化伝送路網の自動設定方式。
【請求項４】
請求項１に記載の論理的多重化伝送路網の自動設定方式において、
前記トラヒック観測評価手段が使用するトラヒック評価基準情報及び前記増設ルート決定手段が参照する前記物理伝送網の構成情報は、網運用管理者から適時投入される
ことを特徴とする論理的多重化伝送路網の自動設定方式。
【請求項５】
請求項４に記載の論理的多重化伝送路網の自動設定方式において、
網運用管理者が適宜投入するトラヒック評価基準情報と物理伝送網構成情報の各情報を受け付けて旧情報を新情報へ更新する情報更新手段
を備えることを特徴とする論理的多重化伝送路網の自動設定方式。
【請求項６】
請求項１に記載の論理的多重化伝送路網の自動設定方式において、
前記通信網は、ＡＴＭ通信網であり、前記論理的多重化伝送路網は、ＶＰ（バーチャルパス）網であり、前記接続ルートは、ＶＰＣ（バーチャルパスコネクション）である
ことを特徴とする論理的多重化伝送路網の自動設定方式。
【請求項７】
請求項６に記載の論理的多重化伝送路網の自動設定方式において、
前記通信網は、ノード間通信用の第１通信網と呼接続制御の対象となる第２通信網とで構成され、
前記第１通信網に、前記第２通信網を構成するＶＰ／ＶＣのスイッチングを制御するハンドラを収容する第１ノードと前記第２通信網の所定領域の呼接続を確立する呼接続コントローラを収容する第２ノードとを配置し、
これらのノードが第１通信網を介して相互に通信し、第２通信網の呼接続制御を実現する場合において、
前記網運用管理コントローラが、前記第２通信網の所定領域毎に設けられる
ことを特徴とする論理的多重化伝送路網の自動設定方式。
【発明の詳細な説明】
【０００１】
【発明の属する技術分野】
本発明は、論理的多重化伝送路網の自動設定方式に係り、特に非同期転送モード（ＡＴＭ：Asynchronous Transfer Mode）通信網におけるＶＰ（Virtual Path：仮想パス）網自動設定方式に関する。
【０００２】
【従来の技術】
ＡＴＭ通信網やパケット通信網では、伝送情報をセルやパケットの伝送単位に分割し、物理的伝送網上にその伝送単位を論理的に多重化して伝送する論理的多重化伝送路網を形成する。そして、呼接続の制御では、かかる論理的多重化伝送路を、交換機／クロスコネクトスイッチによって交換／中継し、目的の端末との間に通信経路を設定する。
【０００３】
なお、論理的多重化伝送路は、ＡＴＭ通信網では、端末〜端末間の実際の通信経路に相当するＶＣ（Virtual Channel:仮想チャネル）とそれを束ねたＶＰであり、パケット通信網では、ＶＣ（Virtual Call：仮想回線）である。
【０００４】
【発明が解決しようとする課題】
従来のＡＴＭ通信網やパケット通信網では、呼接続時の通信経路の設定を、網の運用開始時に予め想定したトラヒックに基づいて定めた伝送容量を基準に行っている。したがって、トラヒックの増大・変動によって最良の経路を選択できない場合が生じ易く、迂回による遅延や接続経路数増加による呼処理負担の増大になったり、呼損の頻度が高まったりし易い。
【０００５】
その対策として、従来では、網運用管理者が、運用状態監視によって得られた情報をもとに論理的多重化伝送路網の再構成を決定し、呼接続制御を行う呼接続コントローラに指示を出して最終的に運用管理用の論理的多重化伝送路を確立し直し、新論理的多重化伝送路網を構成する。この一連の手順は、タイムリな網運用管理者の介入を必要とするが、常時対応するのは困難であり、さらに網リソースの効率的運用を維持するのが容易でない。
【０００６】
特に、ＡＴＭ通信網は、マルチメディアの通信に対応できる通信網であるが、近年、提案され実現しつつある分散制御型アーキテクチャの方式において、ＶＰ網の設定をどのようにして行うかが問題となっている。
本発明は、従来の遠隔制御によるクロスコネクト接続のような方式とは違って網運用管理者の常時介入が不要で、網リソースの使用状況にタイムリに追随してトラヒックに見合ったリソースの割り当てを動的に実現し、網リソースの効率的運用を可能にする論理的多重化伝送路網の自動設定方式を提供することを目的とする。
【０００７】
【課題を解決するための手段】
図１は、請求項１に記載の発明の原理ブロック図である。
請求項１に記載の発明は、伝送情報を伝送単位に分割し、物理伝送網上に、その伝送単位を論理的に多重化して伝送する論理的多重化伝送路網を形成する通信網において、呼接続制御の一部として設けた網運用管理コントローラが、呼接続毎に起動されて前記論理的多重化伝送路網における呼接続を確立する呼接続コントローラが呼接続制御時に使用する呼接続用情報と呼接続での生起情報とを取得する情報取得手段１と、取得した呼接続用情報と呼接続での生起情報との履歴をとり、その履歴とトラヒック評価基準情報とに基づき接続ルートの増設が必要なトラヒックの高い接続ルートを検出するトラヒック観測評価手段２と、前記物理伝送網の構成情報を参照して前記検出した高トラヒック接続ルートを構成し得る低トラヒックで接続数の少ない現用の接続ルートの組み合わせを決定する増設ルート決定手段３と、前記決定した現用接続ルートを閉塞した後の空き状態を待って各接続ルートの端点ノードのスイッチと通信して所期の新接続ルートを確立し、前記呼接続コントローラが利用する前記呼接続用情報を更新した後、前記新接続ルートの閉塞を解除する接続ルート増設手段４とを備えることを特徴とする。
【０００８】
即ち、請求項１に記載の発明では、網運用管理コントローラを、呼接続コントローラが論理的多重化伝送路網において行う呼接続制御の一部を担当するものとして設ける。このとき、呼接続コントローラが呼接続毎に起動されるのに対し、網運用管理コントローラは、（１）呼接続制御の運用開始時に起動され、その後自動的・周期的に起動される、（２）網運用管理者からの要求時に起動される、（３）呼接続毎に呼接続コントローラの要求で起動される、（４）これらの（１）〜（３）の組合せで起動される。なお、網運用管理コントローラと呼接続コントローラは、同一のノードでも良いし、異なるノードでも良い。
【０００９】
起動された網運用管理コントローラは、呼接続処理と並行して、まず、情報取得手段１が、呼接続コントローラが呼接続制御時に使用する呼接続用情報と呼接続での生起情報と（以下、「呼接続関連情報」という）を取得する。この取得方法には、各情報を各コントローラの共有情報とする方法、各情報を管理する機能部を設け、この機能部に各コントローラが情報の参照設定を要求する方法などがある。
【００１０】
次いで、トラヒック観測評価手段２が、取得した呼接続関連情報の履歴とトラヒック評価基準情報とに基づき接続ルートの増設が必要なトラヒックの高い接続ルートを検出し、増設ルート決定手段３が、物理伝送網の構成情報を参照して前記検出した高トラヒック接続ルートを構成し得る低トラヒックで接続数の少ない現用の接続ルートの組み合わせを決定する。
【００１１】
そして、接続ルート増設手段４が、前記決定した現用接続ルートを閉塞した後の空き状態を待って各接続ルートの端点ノードのスイッチと通信して所期の新接続ルートを確立し、前記呼接続コントローラが利用する前記呼接続用情報を更新した後、前記新接続ルートの閉塞を解除し、呼接続コントローラの実際の呼接続制御での利用に供する。
【００１２】
つまり、網運用管理者の介入を要さずに自動的にトラヒックの増大に追随して網の接続ルートを再構成し、運用に供することができる。
請求項２に記載の発明は、請求項１に記載の論理的多重化伝送路網の自動設定方式において、前記接続ルート増設手段４は、前記決定した現用の接続ルートに、当該接続ルートの組合せで予備の接続ルートがある場合は、前記閉塞と空き状態待ちを実行せずに予備の接続ルートの選択を優先することを特徴とする。
【００１３】
即ち、請求項２に記載の発明では、接続ルート増設手段４は、予備の接続ルートがある場合は、それを優先して選択する。これにより、現用の接続ルートを他のルートに振り向けるには、一旦捕捉しておく処理が必要であるが、予備の接続ルートは、全く使用されてない状況下にあるので、捕捉する処理が不要となり、網再構成の手順の簡素化が図れる。
【００１４】
請求項３に記載の発明は、請求項１に記載の論理的多重化伝送路網の自動設定方式において、前記増設ルート決定手段３は、現用の接続ルートをそのまま利用できない場合には、目的のルート上に部分的に一致する低トラヒックの接続ルートを選択し、前記接続ルートを閉塞した後の空き状態を待って適切なスイッチと通信し、利用する部分接続ルートとその他の部分接続ルートとに分離し、前者の利用する部分接続ルートと他の現用接続ルートとの組み合わせを決定し、後者のその他の部分接続ルートは個々の新接続ルートと決定することを特徴とする。
【００１５】
即ち、請求項３に記載の発明では、増設ルート決定手段３は、現用の接続ルートをそのまま利用できない場合には、目的のルート上の部分的に一致する低トラヒックの接続ルートを、利用する部分接続ルートとその他の部分接続ルートとに分離し、それぞれを増設ルートの一部として設定する。これにより、よりきめの細かいルート設定が行え、リソースの最適な再配分ができる。
【００１６】
請求項４に記載の発明は、請求項１に記載の論理的多重化伝送路網の自動設定方式において、前記トラヒック観測評価手段２が使用するトラヒック評価基準情報及び前記増設ルート決定手段３が参照する前記物理伝送網の構成情報は、網運用管理者から適時投入されることを特徴とする。
即ち、請求項４に記載の発明では、網運用管理者からの運用状態変更が可能となる。
【００１７】
請求項５に記載の発明は、請求項４に記載の論理的多重化伝送路網の自動設定方式において、網運用管理者が適宜投入するトラヒック評価基準情報と物理伝送網構成情報の各情報を受け付けて旧情報を新情報へ更新する情報更新手段を備えることを特徴とする。
即ち、請求項５に記載の発明では、網運用管理者から伝達されたトラヒック評価基準情報や物理伝送網構成情報を更新し利用することができる。したがって、網運用管理者は、適宜に網の運用状態を変更設定できる。
【００１８】
請求項６に記載の発明は、請求項１に記載の論理的多重化伝送路網の自動設定方式において、前記通信網は、ＡＴＭ通信網であり、前記論理的多重化伝送路網は、ＶＰ（バーチャルパス）網であり、前記接続ルートは、ＶＰＣ（バーチャルパスコネクション）であることを特徴とする。
即ち、請求項６に記載の発明では、ＡＴＭ通信網におけるＶＰ網を自動的に設定できる。
【００１９】
請求項７に記載の発明は、請求項６に記載の論理的多重化伝送路網の自動設定方式において、前記通信網は、ノード間通信用の第１通信網と呼接続制御の対象となる第２通信網とで構成され、前記第１通信網に、前記第２通信網を構成するＶＰ／ＶＣのスイッチングを制御するハンドラを収容する第１ノードと前記第２通信網の所定領域の呼接続を確立する呼接続コントローラを収容する第２ノードとを配置し、これらのノードが第１通信網を介して相互に通信し、第２通信網の呼接続制御を実現する場合において、前記網運用管理コントローラが、前記第２通信網の所定領域毎に設けられることを特徴とする。
【００２０】
即ち、請求項７に記載の発明では、近年、提案され実現しつつある分散制御型アーキテクチャの方式において、網運用管理コントローラは、第２通信網の所定領域において呼接続コントローラが利用する呼接続関連情報を得て、それについて自動的に修正・変更・再構成等を行い、呼接続コントローラの呼接続接御での利用に供することができる。
【００２１】
【発明の実施の形態】
以下、本発明の実施の形態を図面を参照して説明する。
図２は、請求項１乃至請求項７に対応する実施形態の構成例である。本実施形態は、ＡＴＭ通信網の呼接続制御を分散制御型アーキテクチャ上の分散環境で実行する方式への適用例である。この呼接続制御を分散制御型アーキテクチャ上の分散環境で実行する方式は、近年、提案され、実現しつつある方式である。まず、この分散制御型アーキテクチァによる方式の概要を説明する。
【００２２】
図２において、通信網１２は、呼接続制御対象の通信網であり、通信網１１は、ノード間通信用の通信網である。通信網１１には、呼接続ＡＰＬ（呼接続アプリケーション）を収容するノード１３（以下「呼接続ＡＰＬ１３」）、運用管理ＡＰＬ（運用管理アプリケーション）を収容するノード１４（以下「運用管理ＡＰＬ１４」)、呼接続コントローラ(ＣＰＣＣ:Call Process Connection Control）を収容するノード１５（以下「呼接続コントローラ（ＣＰＣＣ）１５」）、ＶＰＨとＶＣＨを収容するスイッチノード１７が接続される。これらは、元々ＡＴＭ交換機を構成する機能部分であるが、それらを個別に取り出しそれぞれを１つのノードとして通信網１１上に分散配備したものである。
【００２３】
これらの各ノードは、分散環境を形成する通信網１１を介して相互間で通信を行い、分散を意識せずに各機能を実現し、全体として１つのまとまった制御システムを形成する。
【００２４】
その際に、呼接続コントローラ（ＣＰＣＣ）１５は、通信網１２のある管理領域を俯瞰し、通信網１１を介してスイッチノード１７と通信し合い、スイッチノード１７が通信網１２のスイッチを制御することにより、通信網１２の呼接続制御を実現する。したがって、スイッチノード１７は、一般に、スイッチの数だけ存在する。なお、スイッチノード１７において、ＶＰＨは、バーチャルパス（ＶＰ）のスイッチングを実行するＶＰハンドラであり、ＶＣＨは、バーチャルチャネル（ＶＣ）のスイッチングを実行するＶＣハンドラである。
【００２５】
ここに、呼接続コントローラ（ＣＰＣＣ）１５は、呼接続時には、最終的に必要充分な数のＶＣＨと通信してエンド端末〜エンド端末間の仮想チャネル接続（ＶＣＣ：Virtual Channel Connection）を生成し、網運用管理時には、網運用管理者から伝達された指示情報に従って必要充分な数のＶＰＨと通信して仮想パス接続（ＶＰＣ:Virtual Path Connection）を生成する。
【００２６】
要するに、呼接続コントローラ（ＣＰＣＣ）１５に必要な情報としては、呼接続用では、ルーチングとチャネルリソース選択のために、ＶＰＣを単位としたＶＰ網の構成とＶＰＣの使用状況管理があるが、運用管理用では、前記のＶＰＣ使用状況管理の一部に閉塞設定解除の情報と呼接続での生起事象情報が必要なだけであり、ＶＰ網構成情報とＶＰＣ使用状況管理情報の２つを何らかの手段によって参照更新できれば、ＶＰ網を自動的に再構成できる。
【００２７】
そこで、本実施形態では、呼接続コントローラ（ＣＰＣＣ）１５が行う呼接続制御の一部を分担するものとして、通信網１１に、網運用管理コントローラ（ＯＭＣＣ:Operation Maintenance Connection Control）を収容するノード１６（以下「網運用管理コントローラ（ＯＭＣＣ）１６」）を設けてある。なお、網運用管理コントローラ（ＯＭＣＣ）１６は、図示例では独立のノードとしてあるが、呼接続コントローラ（ＣＰＣＣ）１５と同一のノードに共存することでも良い。
【００２８】
この網運用管理コントローラ（ＯＭＣＣ）１６は、トラヒック観測評価ユニット６１と、ＶＰＣ増設ルート決定ユニット６２と、ＶＰＣ増設ユニット６３と、情報更新ユニット６４とのモジュール化された各機能ユニットを備える。
この網運用管理コントローラ（ＯＭＣＣ）１６は、通信網１２の所定管理エリア毎に設けられ、その所定管理エリアにおいて呼接続コントローラ（ＣＰＣＣ）１５が使用する呼接続関連情報を取得し、それと網運用管理者が適宜投入する情報とに基づきＶＰ網の再構成を行うようになっている。そのＶＰ網の再構成においては、通信網１１を介してスイッチノード１７に配備されたＶＰＨと通信することが行われる。したがって、網運用管理コントローラ（ＯＭＣＣ）１６には、それらの情報を記憶するメモリが設けられる。
【００２９】
図５に示すように、呼接続コントローラ（ＣＰＣＣ）１５の使用する呼接続関連情報８０は、呼接続生起情報（ＣＰＥＤ:Call Process Event Data）８１と、ＶＰ網構成情報（ＶＰＴＤ：Virtual Path Topology Data）８２と、ＶＰＣ使用状況管理情報（ＶＰＵＤ:Virtual Path Usage Data）８３と、ＶＰＣの網閉塞設定解除情報（ＶＰＢＤ：Virtual Path Block Data)８４である。なお、呼接続生起情報（ＣＰＥＤ）８１の例としては、所要帯域のチャネルを確保できなかったＶＰＣ（ＶＰリンクも含む；以下同様）や呼損の発生した経路などがある。
【００３０】
また、網運用管理者が適宜投入する情報は、図５に示すように、トラヒック評価基準情報（ＥＶＣＤ:Evaluation Criteria Data）９１と物理網構成情報(ＰＨＴＤ：Physical Topology Data）９２である。網運用管理コントローラ（ＯＭＣＣ）１６では、これらは、情報更新ユニット６４に与えられ、更新記憶される。トラヒック評価基準情報（ＥＶＣＤ）９１は、トラヒックの程度を評価するための基準値を表現した情報である。これには、呼接続生起情報（ＣＰＥＤ）８１に対応したリソースブロックや呼損の頻度、ＶＰＣ使用状況管理情報（ＶＰＵＤ）８３に対応したＶＰ内リソースの使用率、トラヒックの高低判定の安定性を保証するための同一判定対象についての判定最少間隔などが含まれる。物理網構成情報（ＰＨＴＤ）９２は、カバーする通信網を構成するスイッチの物理的な接続関係を記述した情報である。これは、任意のスイッチ間の経路と隣接するスイッチ間のＶＰリンクとを含んでいる。
【００３１】
トラヒック観測評価ユニット６１は、図５に示すように、呼接続生起情報（ＣＰＥＤ）８１とＶＰＣ使用状況管理情報（ＶＰＵＤ）８３とＶＰＣ閉塞設定解除情報（ＶＰＢＤ）８４を参照して履歴情報６１１を蓄積し、またトラヒック評価基準情報（ＥＶＣＤ）９１を参照し、ＶＰＣ増設ルート決定ユニット６２に出力する。
【００３２】
ＶＰＣ増設ルート決定ユニット６２は、図５に示すように、トラヒック観測評価ユニット６１の出力を受け、物理網構成情報（ＰＨＴＤ）９２を参照し、ＶＰＣ構成情報（ＶＰＣＤ:Virtual Path Configuration Data）９３の読み書きを行い、ＶＰＣ増設ユニット６３に出力する。ＶＰＣ構成情報（ＶＰＣＤ）９３は、ＶＰＣの構成を記述した情報である。これには、ＶＰＣを構成するスイッチと各隣接スイッチ間のＶＰリンクとが含まれる。ＶＰＣ構成情報（ＶＰＣＤ）９３は、独立のメモリ、または、ＶＰＣ増設ルート決定ユニット６２とＶＰＣ増設ユニット６３の何れかに設けたメモリに格納される。
【００３３】
ＶＰＣ増設ユニット６３は、図５に示すように、ＶＰＣ増設ルート決定ユニット６２の出力を受けて、呼接続関連情報８０のＶＰ網構成情報（ＶＰＴＤ）８２の書き込みと、ＶＰＣ使用状況管理情報（ＶＰＵＤ）８３の読み書きと、ＶＰＣ閉塞設定解除情報（ＶＰＢＤ）８４の更新とを行い、ＶＰＣ構成情報（ＶＰＣＤ）９３の書き込みを行い、またスイッチノード１７のＶＰハンドラ（ＶＰＨ）と通信する。
【００３４】
情報更新ユニット６４には、図５に示すように、網運用管理者からトラヒック評価基準情報（ＥＶＣＤ）９１と物理網構成情報（ＰＨＴＤ）９２が伝達される度に、それぞれを更新し、更新したトラヒック評価基準情報（ＥＶＣＤ）９１をトラヒック観測評価ユニット６１に与え、また更新したＶＰＣ構成情報（ＶＰＣＤ）９３をＶＰＣ増設ルート決定ユニット６２に与える。
【００３５】
以上の構成と請求項との対応関係は、次のようになっている。呼接続コントローラには、呼接続コントローラ（ＣＰＣＣ）１５が対応する。網運用管理コントローラには、網運用管理コントローラ（ＯＭＣＣ）１６が対応する。情報取得手段１には、トラヒック観測評価ユニット６１とＶＰＣ増設ユニット６３が対応する。トラヒック観測評価手段２には、トラヒック観測評価ユニット６１が対応する。増設ルート決定手段３には、ＶＰＣ増設ルート決定ユニット６２が対応する。接続ルート増設手段４には、ＶＰＣ増設ユニット６３が対応する。情報更新手段には、情報更新ユニット６４が対応する。
【００３６】
呼接続用情報には、図５に示すＶＰ網構成情報（ＶＰＴＤ）８２とＶＰＣ使用状況管理情報（ＶＰＵＤ）８３とＶＰＣ閉塞設定解除情報（ＶＰＢＤ）８４が対応する。呼接続での生起情報には、図５に示す呼接続生起情報（ＣＰＥＤ）８１が対応する。網運用管理者が投入するトラヒック評価基準情報には、図５に示すトラヒック評価基準情報（ＥＶＣＤ）９１が対応する。網運用管理者が投入する物理網構成情報には、図５に示す物理網構成情報（ＰＨＴＤ）９２が対応する。
【００３７】
第１通信網には、通信網１１が対応する。第２通信網には、通信網１２が対応する。第１ノードには、スイッチノード１７が対応する。第２ノードには、呼接続コントローラ（ＣＰＣＣ）１５が対応する。
以下、本実施形態の動作を図２〜図５を参照して説明する。図３は、網運用管理コントローラ（ＯＭＣＣ）１６が認識するＶＰリンクによる物理網の一例である。図３において、物理網上にＡ、Ｂ、Ｃ、Ｄの４つのスイッチがある場合、網運用管理コントローラ（ＯＭＣＣ）１６は、４つのスイッチ相互間の接続経路を各別に認識する。
【００３８】
また、図４は、スイッチＡからスイッチＤに至るＶＰＣ（ＶＰリンクを含む）網の一例である。図４において、網運用管理コントローラ（ＯＭＣＣ）１６は、スイッチＡから直接スイッチＤに至る接続経路や、スイッチＡ→スイッチＣ→スイッチＤの経路でスイッチＣをＶＰ接続した接続経路や、スイッチＡ→スイッチＣ→スイッチＢ→スイッチＤの経路でスイッチＣとスイッチＢとをＶＰ接続した接続経路を、スイッチＡからスイッチＤに至るＶＰＣとして構成する。呼接続コントローラ（ＣＰＣＣ）１５は、これらのＶＰＣをスイッチＡからスイッチＤに至るＶＰＣ（個々の違いは属性）として認識し、図３の物理網の構成は感知しない。
【００３９】
図５は、動作説明図である。図５は、分散処理環境によって物理的な分散が隠されたことにより現れた網運用管理コントローラ（ＯＭＣＣ）１６の各機能ユニット間と他の機能部間との一連の動作を示している。
図５において、呼接続コントローラ（ＣＰＣＣ）１５は、呼接続毎に起動される。これに対し、網運用管理コントローラ（ＯＭＣＣ）１６は、（１）呼接続制御の運用開始時に起動され、その後自動的・周期的に起動される、（２）網運用管理者からの要求時に起動される、（３）呼接続毎に呼接続コントローラの要求で起動される、（４）これらの（１）〜（３）の組合せで起動される。
【００４０】
起動された網運用管理コントローラ（ＯＭＣＣ）１６は、呼接続コントローラ（ＣＰＣＣ）１５の呼接続処理と並行して、トラヒック観測評価ユニット６１、ＶＰＣ増設ルート決定ユニット６２、ＶＰＣ増設ユニット６３の相互作用により、既存の低トラヒックなＶＰＣを利用してＶＰＣ増設の必要なトラヒックの高いルートに新たなＶＰＣを確立し直し、呼接続コントローラ（ＣＰＣＣ）１５の呼接続制御の利用に供する。
【００４１】
以下、具体的に説明する。呼接続コントローラ（ＣＰＣＣ）１５と網運用管理コントローラ（ＯＭＣＣ）１６との間では、呼接続生起情報（ＣＰＥＤ）８１、ＶＰ網構成情報（ＶＰＴＤ）８２、ＶＰＣ使用状況管理情報（ＶＰＵＤ）８３、ＶＰＣ閉塞設定解除情報（ＶＰＢＤ）８４の各情報からなる呼接続関連情報８０が利用される。
【００４２】
この呼接続関連情報８０を呼接続コントローラ（ＣＰＣＣ）１５と網運用管理コントローラ（ＯＭＣＣ）１６の双方が共有する方法としては、各情報を呼接続コントローラ（ＣＰＣＣ）１５と網運用管理コントローラ（ＯＭＣＣ）１６のそれぞれの共有情報とする方法や、各情報を管理する機能部を設け、この機能部に呼接続コントローラ（ＣＰＣＣ）１５と網運用管理コントローラ（ＯＭＣＣ）１６が情報の参照設定を要求する方法など、各種の形態があり得る。
【００４３】
網運用管理コントローラ（ＯＭＣＣ）１６の情報更新機能ユニット６４は、網運用管理者が適宜投入するトラヒック評価基準情報（ＥＶＣＤ）９１と物理網構成情報（ＰＨＴＤ）９２を受けて、前回入力のものを今回のもので更新し、記憶し、更新したトラヒック評価基準情報（ＥＶＣＤ）９１はトラヒック観測評価機能ユニット６１の参照に供し、更新した物理網構成情報（ＰＨＴＤ）９２をＶＰＣ増設ルート決定機能ユニット６２の参照に供する。
【００４４】
トラヒック観測評価ユニット６１は、呼接続生起情報（ＣＰＥＤ）８１とＶＰＣ使用状況管理情報（ＶＰＵＤ）８３とＶＰＣ閉塞設定解除情報（ＶＰＢＤ）８４とを繰り返し得て、各ＶＰＣやＶＰＣの組み合わせからなる経路（以下、両者をまとめて「ルート」と呼び、ルートは始点スイッチと終点スイッチの組み合わせで表現する）のトラヒックに関係する履歴情報６１１を蓄積する。
【００４５】
なお、履歴にあるＶＰＣがＶＰＣ使用状況管理情報（ＶＰＵＤ）８３やＶＰＣ閉塞設定解除情報（ＶＰＢＤ）８４にない場合には、そのＶＰＣ情報は消去される。ここでの履歴情報は、前記ルートの帯域使用量の推移やチャネル確保時の帯域不足などによるリソースブロックの頻度とする。また、呼接続生起情報（ＣＰＥＤ）８１とＶＰＣ使用状況管理情報（ＶＰＵＤ）８３とＶＰＣ閉塞設定解除情報（ＶＰＢＤ）８４を得る機会は、トラヒック観測評価機能ユニット６１の起動方式に依存する。
【００４６】
トラヒック観測評価ユニット６１は、情報更新ユニット６４から網運用管理者から伝達済みのトラヒック評価基準情報（ＥＶＣＤ）９１を取り込み、それと蓄積したトラヒック履歴情報６１１とを照合し、次の２つの動作を行う。
（１）高トラヒックのルートを求め選択し、ＶＰＣ増設ルート決定ユニット６２に渡す。このルートは、単一ＶＰＣの場合もあるが、いずれにしても、両端のスイッチの組で識別し、介在するスイッチがあってもこれに依存しない。ここでは、図３、図４に示したスイッチＡ〜スイッチＤとする。
【００４７】
（２）低トラヒックになったＶＰＣ、低トラヒックでなくなったＶＰＣを検出し、そのような低トラヒックに関するＶＰＣ情報もＶＰＣ増設ルート決定ユニット６２に渡す。
ＶＰＣ増設ルート決定ユニット６２は、低トラヒックに関するＶＰＣ情報は、ＶＰＣ構成情報（ＶＰＣＤ）９３に記録する一方、ルート情報については、ＶＰＣ構成情報（ＶＰＣＤ）９３を読み出し、また情報更新ユニット６４から物理網構成情報（ＰＨＴＤ）９２とを取り込み、それらを参照し、トラヒック観測評価ユニット６１が求めたルートを満たし、かつトラヒック観測評価ユニット６１が低トラヒックと評価した中でより低トラヒックで接続数の少ない現用ＶＰＣの組み合わせを選択し、ＶＰＣ増設ユニット６３に渡す。ここでは、図３、図４のスイッチＡ〜スイッチＣ〜スイッチＤが選択されたとする。なお、候補を求め選択するロジックは、例えば低トラヒックなＶＰＣの組み合わせでスイッチ段数のより少ないものを求める方法があり、また候補数は処理能力を考慮して決定される。
【００４８】
ただし、ＶＰＣ増設ルート決定ユニット６２は、ＶＰＣ構成情報（ＶＰＣＤ）９３を参照して予備のＶＰＣがある場合は、その選択を優先する。また、ＶＰＣ構成情報（ＶＰＣＤ）９３を参照して現用のＶＰＣをそのまま利用できない場合は、目的のルート上に部分的に一致する低トラヒックの部分ＶＰＣを選択し、その部分ＶＰＣとの組み合わせを選択し、ＶＰＣ増設ユニット６３に渡すことも行う。
【００４９】
ＶＰＣ増設ユニット６３は、ＶＰＣ増設ルート決定ユニット６２から渡された前記ＶＰＣの組み合わせ（ここでは、スイッチＡ〜スイッチＣのＶＰリンクとスイッチＣ〜スイッチＤのＶＰリンク）の全ＶＰＣについて、ＶＰＣ閉塞設定解除情報（ＶＰＢＤ）８４を閉塞設定して閉塞状態にし、ＶＰＣ使用状況管理情報（ＶＰＵＤ）８３を観測して空き（ここでは、使用チャネル数０）を待つ。その後に、空きができると各ＶＰＣの接続点となる適切なスイッチ（スイッチＣ）のスイッチノード（ＶＰＨ）１７と通信し、全体として新たなＶＰＣ（スイッチＣ経由のスイッチＡ〜スイッチＤ）を確立する。
【００５０】
そして、ＶＰＣ増設ユニット６３は、ＶＰ網構成情報（ＶＰＴＤ）８２、ＶＰＣ使用状況管理情報（ＶＰＵＤ）８３、ＶＰＣ閉塞設定解除情報（ＶＰＢＤ）８４、ＶＰＣ構成情報（ＶＰＣＤ）９３について、前記閉塞設定したＶＰＣを前記確立した新ＶＰＣに更新（ただし、ＶＰＣ閉塞設定解除情報（ＶＰＢＤ）８４は閉塞設定状態のまま）し、最後に前記確立した新ＶＰＣのＶＰＣ閉塞設定解除情報（ＶＰＢＤ）８４に閉塞解除を設定する。ただし、前記予備ＶＰＣを使用する場合は、閉塞設定と空き確認は実行しない。これにより、以上の手順が省略される。
【００５１】
また、ＶＰＣ増設ユニット６３は、前記の部分ＶＰＣを利用する場合は、分割するＶＰＣのＶＰＣ閉塞設定解除情報（ＶＰＢＤ）８４に閉塞を設定する。次いで、ＶＰＣ使用状況管理情報（ＶＰＵＤ）８３から空きを確認した後で、適切なスイッチノード（ＶＰＨ）１７と通信し、利用する部分ＶＰＣとその他の部分ＶＰＣに分離する。そして、前者の利用する部分ＶＰＣとＶＰＣ増設ルート決定ユニット６２の求めた残りの各ＶＰＣとについて前記と同様に設定する。ただし、部分ＶＰＣに関する情報はない。
【００５２】
また、後者のその他の部分ＶＰＣについてもＶＰＣ閉塞設定解除情報（ＶＰＢＤ）８４・ＶＰＣ使用状況管理情報（ＶＰＵＤ）８３・ＶＰＣ構成情報（ＶＰＣＤ）９３の新情報を追加し（ただし、ＶＰＣ閉塞設定解除情報（ＶＰＢＤ）８４は閉塞設定状態のまま）、分割ＶＰＣの旧情報をＶＰＣ構成情報（ＶＰＣＤ）９３から削除し、ＶＰ網構成情報（ＶＰＴＤ）８２を更新し、最後にその他の部分ＶＰＣのＶＰＣ閉塞設定解除情報（ＶＰＢＤ）８４に閉塞解除を設定する。
【００５３】
そして、以上の動作過程で、網運用管理者からトラヒック評価基準情報（ＥＶＣＤ）９１や物理網構成情報（ＰＨＴＤ）９２が投入されると、情報更新ユニット６４が伝達されたそれらの新情報で旧情報を更新し、新たなＶＰ網の生成に資することを行う。
以上のように、トラヒック観測評価ユニット６１とＶＰＣ増設ルート決定ユニット６２とＶＰＣ増設ユニット６３の相互的な働きにより、トラヒックの増大に自動的に追随してトラヒックに見合ったリソースを割り当てるＶＰ網の再構成を動的に実現できる。したがって、ＶＰＣリソースを最適に再配分する呼接続制御を実現でき、網リソースの効率的運用が図れる。
【００５４】
また、網運用管理者の作業負荷を軽減するとともに、トラヒック評価基準情報等の適時更新を実現可能とし、網運用管理者が適宜に運用状態変更設定が行える構成となっている。
なお、図２において、呼接続ＡＰＬ１３、運用管理ＡＰＬ１４、呼接続コントローラ（ＣＰＣＣ）１５、網運用管理コントローラ（ＯＭＣＣ）１６の各機能部は、必ずしも異なった個別のノードにある必要はなく、任意の組み合わせで同一のノードに収容することも可能である。
【００５５】
また、本実施形態は、ＡＴＭ通信網への適用例であるが、同様の事情が存するパケット通信網にも同様に適用できることは勿論である。
【００５６】
【発明の効果】
以上説明したように、請求項１に記載の発明では、網運用管理コントローラを呼接続コントローラが論理的多重化伝送路網において行う呼接続制御の一部を担当するものとして設けたので、網運用管理者の介入を要さずに自動的にトラヒックの増大に追随して網の接続ルートを再構成でき、網運用管理者の負荷を軽減できる。
【００５７】
請求項２に記載の発明では、予備の接続ルートがある場合は、それを優先して選択できるので、網再構成の手順の簡素化が図れる。
請求項３に記載の発明では、現用の接続ルートをそのまま利用できない場合には、目的のルート上に部分的に一致する低トラヒックの接続ルートを利用する部分接続ルートとその他の部分接続ルートとに分離し、それぞれを増設ルートの一部として設定するので、リソースを最適に再配分できる。
【００５８】
請求項４に記載の発明では、網運用管理者からの運用状態変更が可能となる。また、請求項５に記載の発明では、網運用管理者から伝達されたトラヒック評価基準情報や物理伝送網構成情報を更新し利用することができる。これにより、効率的かつ容易な網運用の実現を可能とする。
請求項６に記載の発明では、ＡＴＭ通信網におけるＶＰ網を自動的に設定できる。
【００５９】
請求項７に記載の発明では、近年、提案され実現しつつある分散制御型アーキテクチャの環境で実行する呼接続制御において、ＶＰ網の自動設定が行える。
【図面の簡単な説明】
【図１】請求項１に記載の発明の原理ブロック図である。
【図２】請求項１乃至請求項７に対応する実施形態の構成例である。
【図３】ＶＰリンクによる物理網の一例である。
【図４】ＶＰＣによるＶＰＣ網の一例である。
【図５】動作説明図である。
【符号の説明】
１  情報取得手段
２  トラヒック観測評価手段
３  増設ルート決定手段
４  接続ルート増設手段
１１  通信網（ノード間通信用）
１２  通信網（呼接続制御対象）
１３  呼接続ＡＰＬ（呼接続アプリケーション収容ノード）
１４  運用管理ＡＰＬ（運用管理アプリケーション収容ノード）
１５  呼接続コントローラ（ＣＰＣＣ）｛ＣＰＣＣ収容ノード｝
１６  運用管理コントローラ（ＯＭＣＣ）｛ＯＭＣＣ収容ノード｝
１７  スイッチノード（ＶＰＨ／ＶＣＨ収容ノード）
６１  トラヒック観測評価ユニット
６１１  履歴情報
６２  ＶＰＣ増設ルート決定ユニット
６３  ＶＰＣ増設ユニット
６４  情報更新ユニット
８０  呼接続関連情報
８１  呼接続生起情報（ＣＰＥＤ）
８２  ＶＰ網構成情報（ＶＰＴＤ）
８３  ＶＰＣ使用状況管理情報（ＶＰＵＤ）
８４  ＶＰＣ閉塞設定解除情報（ＶＰＢＤ）
９１  トラヒック評価基準情報（ＥＶＣＤ）
９２  物理網構成情報（ＰＨＴＤ）
９３  ＶＰＣ構成情報（ＶＰＣＤ）
【図１】
0003639107.tif 000002
【図２】
0003639107.tif 000003
【図３】
0003639107.tif 000004
【図４】
0003639107.tif 000005
【図５】
0003639107.tif 000006